(57)【要約】【課題】本発明は、偽造ないしは改ざんを確実に防止できる改ざん防止ステッカーを提供することである。【解決手段】熱接着性樹脂層とプラスチックフィルムとパターン状剥離層とホログラム層と透明反射層と粘着剤層と離型紙からなるステッカー本体と被着体の固有情報もしくはその固有情報に関連付けられた番号等の記号がプリントされたカードからなり、ステッカー本体の熱接着性樹脂層面に、カードがカードの記号がプリントされた面をステッカー本体の熱接着性樹脂層面に重ね合わせて熱接着された構成の改ざん防止ステッカーである。【選択図】　　　　図１
2004145007.tif 000002
【特許請求の範囲】
【請求項１】
熱接着性樹脂層とプラスチックフィルムとパターン状剥離層とホログラム層と透明反射層と粘着剤層と離型紙からなるステッカー本体と被着体の固有情報もしくはその固有情報に関連付けられた番号等の記号がプリントされたカードからなり、前記ステッカー本体の前記熱接着性樹脂層面に、前記カードが、前記記号がプリントされた面をステッカー本体の熱接着性樹脂層面に重ね合わせて熱接着された構成からなることを特徴とする改ざん防止ステッカー。
【請求項２】
前記カードが前記ステッカー本体より小さいサイズとされ、前記カードの他方の面に熱接着性樹脂層とプラスチックフィルムからなりステッカー本体と同ザイズの裏貼り材が、前記カードの全面を覆って熱接着された構成からなることを特徴とする請求項１記載の改ざん防止ステッカー。
【請求項３】
前記カードの記号がプリントされた面の所定領域に改ざん防止手段が形成されていることを特徴とする請求項１または２記載の改ざん防止ステッカー。
【発明の詳細な説明】
【０００１】
【産業上の利用分野】
本発明は、ステッカーを剥がして別のステッカーに貼り替えることによる改ざん、及びステッカーに接着されているカードを貼り替えることによる改ざんを防止することができる、窓ガラス等に貼り付けガラスを通してステッカーに表示された番号等の記号を視認できる改ざん防止ステッカーに関する。
【０００２】
【従来の技術】
従来、被着物に貼着され被着物の変造等を目的とした故意の貼り替えを防止できる改ざん防止ラベルとしては、離型層１６と基材１１と剥離層１２と樹脂層１３と情報表示層１４と粘着材層１５とが順に積層された構成からなり、このラベルを粘着材層１５にて被着物２０に貼付した後に、貼り替えようとしてラベルの基材１１を被着物２０から剥離すると、樹脂層１３と情報表示層１４と粘着材層１５が被着物２０に残る構成の改ざん防止ラベル（例えば、特許文献１参照）、支持体フィルム７と体積ホログラム形成樹脂層８と着色層６と脆質層３と接着剤層４が積層され、証明書や証券等の表面の一部に貼付けて使用し、剥離すると脆質層が破壊されてしまう構成のホログラムラベル（例えば、特許文献２参照）等が知られている。しかしながら、上記の改ざん防止ラベルは情報表示層を備えており、上記のホログラムラベルは体積ホログラム形成樹脂層を備えているので、それらを偽造するのは困難であるが、情報表示層ないしは体積ホログラム形成樹脂層を備えているだけでは、偽造を完全に防止できないという欠点がある。また、上記の改ざん防止ラベルないしはホログラムラベルに、被着体の固有情報もしくはその固有情報に関連付けられた番号等の記号をプリントするには、改ざん防止ラベルないしはホログラムラベルの製造段階において、基材ないしは支持体フィルムに番号等の記号を前もってプリントしておくことが必要であり、製造工程がきわめて煩雑になるという欠点を有している。
【０００３】
【特許文献１】
特開２００１−１８３９８３号公報（００１３、００２４、図１）
【特許文献２】
実公平５−４８２１５号公報（請求項１、図４、２欄３〜８行）
【０００４】
【発明が解決しようとする課題】
本発明は、偽造ないしは改ざんを確実に防止できる改ざん防止ステッカーを提供することである。
【０００５】
【課題を解決するための手段】
熱接着性樹脂層とプラスチックフィルムとパターン状剥離層とホログラム層と透明反射層と粘着剤層と離型紙からなるステッカー本体と被着体の固有情報もしくはその固有情報に関連付けられた番号等の記号がプリントされたカードからなり、前記ステッカー本体の前記熱接着性樹脂層面に、前記カードが、前記記号がプリントされた面をステッカー本体の熱接着性樹脂層面に重ね合わせて熱接着された構成からなる改ざん防止ステッカーとすることにより、ステッカー本体にホログラム層を有しているためステッカー本体を偽造するのが困難である上に、ステッカー本体からカードを剥離させて貼り替えようとしてもカードが破れてしまい剥離できないため、偽造したステッカー本体を使用してカードを貼り替えることによる改ざんを防止することができる。また、被着面に接着された改ざん防止ステッカーを剥離して、別の改ざん防止ステッカーに貼り替えようとしても、被着面から改ざん防止ステッカーを剥離した際に、パターン状剥離層の形状にホログラム層が被着面に残るので、その上に別のステッカーを貼っても貼り替えが容易に判別することができるので、ステッカーの貼り替えによる改ざんについても確実に防止することができる。更に、被着体の固有情報もしくはその固有情報に関連付けられた番号等の記号がプリントされたカードをステッカー本体に熱接着して改ざん防止ステッカーを作製することができるので製造工程の簡略化が可能となるものである。
【０００６】
上記の改ざん防止ステッカーにおいて、前記カードが前記ステッカー本体より小さいサイズとされ、前記カードの他方の面に熱接着性樹脂層とプラスチックフィルムからなりステッカー本体と同ザイズの裏貼り材が、前記カードの全面を覆って熱接着された構成とすることにより、ステッカー本体からカードを剥離させて貼り替える改ざんがより一層困難となるのでカードの貼り替えによる改ざんを確実に防止することができる。
【０００７】
上記の改ざん防止ステッカーにおいて、前記カードの記号がプリントされた面の所定領域に改ざん防止手段が形成されている構成とすることにより、カードの偽造を防止することができるので、改ざん防止ステッカーの偽造を確実に防止することができるものである。
【０００８】
【発明の実施の形態】
以下、図面を引用して本発明の実施の形態を説明する。
図１は本発明の第１実施形態を示す平面図、図２は第１実施形態の積層構成を示す図１におけるＩ−Ｉ断面図、図３は第１実施形態の改ざん防止ステッカーを被着面に接着した状態の図２に対応する断面図、図４は貼着した第１実施形態の改ざん防止ステッカーを被着面から剥離した状態の図２に対応する断面図、図５はステッカー本体に接着するカードの平面図、図６は第１実施形態の改ざん防止ステッカーにカードを接着する前の状態を示す図２に対応する断面図、図７は本発明の第２実施形態の構成を示す図２に対応する断面図であって、１，１’は改ざん防止ステッカー、２はカード、３は番号、４は改ざん防止手段、５は被着体、６は端縁熱接着部、１１は透明支持体、１２は剥離層、１３はホログラム形成層、１４は透明反射層、１５は粘着剤層、１６は離型紙、１７，　１９は熱接着性樹脂層、１８はプラスチックフィルム、Ａはステッカー本体、Ｂは裏貼り材をそれぞれ表す。
【０００９】
本発明の第１実施形態の改ざん防止ステッカーは図１、図２に示すとおりである。平面図は、図１に示すように、ステッカー本体Ａの裏面に熱接着により接着して取り付けられたカード２の表示内容が表面側から目視できるようになっている。第１実施形態の構成は、図２に示すように、熱接着性樹脂層１７と透明支持体１１と剥離層１２とホログラム形成層１３と透明反射層１４と粘着剤層１５と離型紙１６が積層されたステッカー本体Ａの熱接着性樹脂層１７面の中央部に、一方の面に番号３がプリントされるとともに改ざん防止手段４が形成されたステッカー本体Ａより小さいサイズのカード２が、番号３及び改ざん防止手段４が形成された面にて熱接着され、熱接着されたカード２の背面に、プラスチックフィルム１８と熱接着性樹脂層１９が積層された構成のステッカー本体Ａと同サイズの裏貼り材Ｂがカード２の全体を覆って熱接着された構成となっている。
【００１０】
上記の構成とすることにより、裏貼り材Ｂを剥がしてカード２をステッカー本体Ａから剥離させて、別の番号がプリントされたカードに貼り替えて改ざんしようとしても、ステッカー本体Ａの熱接着性樹脂層１７と裏貼り材Ｂの熱接着性樹脂層１９が溶着して一体化しており、紙からなるカード２の場合には熱接着性樹脂層１７及び熱接着性樹脂層１９がカード２の両面にくい込んだ状態となり、また、プラスチックからなるカード２の場合には、ステッカー本体Ａの熱接着性樹脂層１７と裏貼り材Ｂの熱接着性樹脂層１９がカード２面に溶着するので、裏貼り材Ｂの剥離及びカード２のステッカー本体Ａからの剥離が不可能となるため、カード２の貼り替えによる改ざんを確実に防止できる。
【００１１】
第１実施形態の改ざん防止ステッカーは、図２に示されているように、透明支持体１１面に形成される剥離層１２はパターン状とされており、剥離層１２は透明支持体１１面から簡単に剥離するように構成されている。即ち、透明支持体１１と剥離層１２間の接着強度は、透明反射層１４と粘着剤層１５間の接着強度及び粘着剤層１５と被着体５面間の接着強度よりも小さくなるように設定されている。剥離層１２を形成するパターンは任意であるが、例えば、ＶＯＩＤ（無効の）等の文字状に形成するのが好ましい。
【００１２】
第１実施形態の改ざん防止ステッカー１は、図３に示すように、離型紙１６を剥がして粘着材層１５にてガラス等の透明な被着体５面に接着して使用されるものである。改ざん防止ステッカー１をガラス等の透明な被着体５面に接着した状態で、透明な被着体５を透して、カード２の一方の面にプリントされた番号３及び形成された改ざん防止手段４を視認することができるものである。
【００１３】
被着体５面に接着された改ざん防止ステッカー１を被着体５面から剥離すると、図４に示すように、透明支持体１１面と剥離層１２間の接着強度が、透明反射層１４と粘着剤層１５間の接着強度及び粘着剤層１５と被着体５面間の接着強度よりも弱くさているので、パターン状に形成された剥離層１２の部分が被着体５面から剥離せずに被着体５面に接着されたままで残った状態となり、透明支持体１１面に剥離層１２が形成されていない領域では粘着剤層１５が被着体５面から剥離される。したがって、改ざん防止ステッカー１を被着体５面から剥離すると、被着体５面に、パターン状に形成された剥離層１２とホログラム形成層１３と透明反射層１４と粘着剤層１５が積層されたホログラム層を含む層からなるＶＯＩＤの文字が表示された状態となる。その上から別の番号がプリントされたカード２が接着された改ざん防止ステッカーを貼着して番号を改ざんしようとした場合でも、直ぐに改ざんが判明してしまので、改ざん防止ステッカーを貼り替えて番号を替えることができなくなるので改ざんを防止することができる。
【００１４】
改ざん防止ステッカー１に熱接着により取り付けられるカード２は、図５に示すように、紙、プラスチックシート等の基材からなるカード２の一方の面に番号３がプリントされるとともに、番号３がプリントされない領域に、ホログラム、地紋や彩紋等の微細印刷模様等からなる改ざん防止手段４が形成されているものである。カード２に改ざん防止手段４を形成しておくことにより、カード２そのものが偽造されるのを防止することができる。
【００１５】
第１実施形態の改ざん防止ステッカー１を作製するには、ステッカー本体Ａの熱接着性樹脂層１７面と裏貼り材Ｂの熱接着性樹脂層１７面を合わせて一方の端縁に沿った端縁熱接着部６にて接着した構成としておき、図５に示す番号３がプリントされるとともに改ざん防止手段４が形成されたカードを、番号３及び改ざん防止手段４が離型紙１６側を向くようにステッカー本体Ａと裏貼り材Ｂの中央部に挟み込んで、カード２をステッカー本体Ａに熱接着するとともに裏貼り材Ｂをステッカー本体Ａに熱接着することにより、カード２がステッカー本体Ａの熱接着性樹脂層１７面の中央部に接着され、カード２の全体を覆い且つ周縁部にステッカー本体Ａに接着した状態で、カード２がステッカー本体Ａと裏貼り材Ｂ間に固定されて取り付けられて第１実施形態の改ざん防止ステッカー１が作製される。
【００１６】
本発明の第２実施形態の改ざん防止ステッカー１’は、図７に示すとおり、基本的には第１実施形態と同じ構成であるが、ステッカー本体Ａの熱接着性樹脂層１７面の中央部に、一方の面にプリントされた番号３及び改ざん防止手段４が形成されたカードを、番号３及び改ざん防止手段４が形成された面にて熱接着された構成である。第２実施形態の改ざん防止ステッカー１’は、カード２が接着されたステッカー本体Ａの背面に裏貼り材Ｂが熱接着されていない構成であるが、第２実施形態においても、ステッカー本体Ａからカード２を剥離して貼り替えようとしてもカード２が破れてしまうため貼り替えが不可能となるのでカード２の貼り替えによる改ざんを防止できる。
【００１７】
本発明の改ざん防止ステッカーの使用方法としては、例えば、改ざん防止ステッカーに接着されているカードに車のナンバープレートと同じ番号をプリントして、その改ざん防止ステッカーを車の窓ガラスに貼り付けておくことにより、改ざん防止ステッカーが貼り付けられた車が盗難に会い、車のナンバープレートを改ざんして別ナンバーの車に偽装しようとした場合でも、改ざん防止ステッカーが貼り付けられているので、車のナンバープレートのみを改ざん又は別のものと差し替えただけでは改ざん防止ステッカーに表示された番号との整合性が取れず改ざんされたことが確認でき、また、車の窓ガラスに貼り付けられている改ざん防止ステッカーのナンバーを別ナンバーに改ざんしようとした場合でも、車のナンバーがプリントされているカードを改ざん防止ステッカーから剥がすことは不可能であるし、改ざん防止ステッカーのステッカー本体を偽造して別のナンバーがプリントされたカードを貼り付けて改ざん防止ステッカーを偽造しようとしても、ステッカー本体にホログラム層が形成されている上に、カードに偽造防止手段が施されているので、ステッカー本体及びナンバーがプリントされたカードの両方を偽造して、改ざん防止ステッカーを偽造することは殆ど不可能であるため、車のナンバーの改ざんを確実に防止することができるものである。
【００１８】
【発明の効果】
熱接着性樹脂層とプラスチックフィルムとパターン状剥離層とホログラム層と透明反射層と粘着剤層と離型紙からなるステッカー本体と被着体の固有情報もしくはその固有情報に関連付けられた番号等の記号がプリントされたカードからなり、前記ステッカー本体の前記熱接着性樹脂層面に、前記カードが、前記記号がプリントされた面をステッカー本体の熱接着性樹脂層面に重ね合わせて熱接着された構成からなる改ざん防止ステッカーとすることにより、ステッカー本体にホログラム層を有しているためステッカー本体を偽造するのが困難である上に、ステッカー本体からカードを剥離させて貼り替えようとしてもカードが破れてしまい剥離できないため、偽造したステッカー本体を使用してカードを貼り替えることによる改ざんを防止することができる。また、被着面に接着された改ざん防止ステッカーを剥離して、別の改ざん防止ステッカーに貼り替えようとしても、被着面から改ざん防止ステッカーを剥離した際に、パターン状剥離層の形状にホログラム層が被着面に残るので、その上に別のステッカーを貼っても貼り替えが容易に判別することができるので、ステッカーの貼り替えによる改ざんについても確実に防止することができる。更に、被着体の固有情報もしくはその固有情報に関連付けられた番号等の記号がプリントされたカードをステッカー本体に熱接着して改ざん防止ステッカーを作製することができるので製造工程を簡略化できるものである。
【００１９】
上記の改ざん防止ステッカーにおいて、前記カードが前記ステッカー本体より小さいサイズとされ、前記カードの他方の面に熱接着性樹脂層とプラスチックフィルムからなりステッカー本体と同ザイズの裏貼り材が、前記カードの全面を覆って熱接着された構成とすることにより、ステッカー本体からカードを剥離させて貼り替える改ざんがより一層困難となるのでカードの貼り替えによる改ざんを確実に防止することができる。
【００２０】
上記の改ざん防止ステッカーにおいて、前記カードの記号がプリントされた面の所定領域に改ざん防止手段が形成されている構成とすることにより、カードの偽造を防止することができるので、改ざん防止ステッカーの偽造を確実に防止することができるものである。
【図面の簡単な説明】
【図１】本発明の第１実施形態を示す平面図。
【図２】図１におけるＩ−Ｉ断面図。
【図３】第１実施形態の改ざん防止ステッカーを被着面に貼着した状態の図２に対応する断面図。
【図４】貼着した第１実施形態の改ざん防止ステッカーを被着面から剥離した状態の図２に対応する断面図。
【図５】ステッカー本体に接着するカードの平面図。
【図６】第１実施形態の改ざん防止ステッカーにカードを接着する前の状態を示す図２に対応する断面図。
【図７】本発明の第２実施形態の構成を示す図２に対応する断面図。
【符号の説明】
１，１’　改ざん防止ステッカー
２　カード
３　番号
４　改ざん防止手段
５　被接体
６　端縁熱接着部
１１　透明支持体
１２　剥離層
１３　ホログラム形成層
１４　　透明反射層
１５　粘着剤層
１６　離型紙
１７，１９　　熱接着性樹脂層
１８　プラスチックフィルム
Ａ　ステッカー本体
Ｂ　裏貼り材
【図１】
2004145007.tif 000003
【図２】
2004145007.tif 000004
【図３】
2004145007.tif 000005
【図４】
2004145007.tif 000006
【図５】
2004145007.tif 000007
【図６】
2004145007.tif 000008
【図７】
2004145007.tif 000009